(57)【要約】【課題】  従来より習慣的に行われてきた並べ方で書籍を立て掛けることができるだけでなく、従来とは異なる斬新な並べ方を自由に採用してその並べ方に個性や変化を持たせるときの自由度に優れる本立てを提供する。【解決手段】  多数の保持孔２を規則的又は無秩序に幅方向及び奥行方向で散在させた支持板１と、任意に選択した保持孔２に端部を差し込むことによって支持板１に自立させられるロッド状のスティック５とを有する。支持板１に幅方向又は奥行方向に間隔を隔てて自立させた少なくとも２本のスティック５の相互間スペースが書籍８Ａ，８Ｂの配備スペースとして形成される。【選択図】        図５
0003105593.tif 000002
【実用新案登録請求の範囲】
【請求項１】
多数の保持孔を規則的又は無秩序に幅方向及び奥行方向で散在させた支持板と、任意に選択した上記保持孔に端部を差し込むことによって上記支持板に自立させられるロッド状のスティックとを有することを特徴とする本立て。
【請求項２】
多数の保持孔を規則的又は無秩序に幅方向及び奥行方向で散在させた支持板と、任意に選択した上記保持孔に端部を差し込むことによって上記支持板に自立させられる複数本のロッド状のスティックとを有し、支持板に幅方向又は奥行方向に間隔を隔てて自立させた少なくとも２本の上記スティックの相互間スペースが書籍の配備スペースとして形成されるようになっていることを特徴とする本立て。
【請求項３】
支持板に自立させた複数本の上記スティックが、同一高さ又は異なる高さを有している請求項２に記載した本立て。
【請求項４】
複数本の上記スティックの全部がまっすぐなロッドでなる請求項２又請求項３に記載した本立て。
【請求項５】
複数本の上記スティックに、両端部が２つの上記保持孔に各別に差し込まれる曲り形状のロッドでなるスティックが含まれている請求項２又は請求項３に記載した本立て。
【請求項６】
請求項１ないし請求項４のいずれか１項に記載した本立ての上記支持板が底板として形成された中空箱体の背面に、絵柄や文字などの背景画を挟み込んだ透過板が備わり、かつ、上記箱体の前面に覗き窓が備わっていることを特徴とする本立て。
【考案の詳細な説明】
【技術分野】
【０００１】
本考案は本立て、特に、書籍の見せ方を様々に変化させ得るように工夫された本立てに関する。
【背景技術】
【０００２】
本立てには従来より様々な構造のものが提案されており、複数枚の仕切り板の相互間に書籍の立掛けスペースを形成したものは最も一般的な本立ての形であるということができる。また、鋼線を門形ないしＵ字状に折り曲げることによって形成した複数の仕切りを底板の幅方向に間隔を隔てて並べることにより、それらの仕切りの相互間に書籍の立掛けスペースを形成したものもの知られている（たとえば特許文献１参照）。
【０００３】
そして、従来より、本立てに書籍を立て掛けて第３者に見せる場合の書籍の見せ方として、閉じた書籍の背や表紙の平などを見せてそれらの部分に表示されたタイトルや装飾模様などを目立たせるということが広く習慣的に行われてきたため、本立ての構造も、そのような見せ方をするのに都合のよい構造として上記したような構造が採用されていた。
【０００４】
【特許文献１】特開２００３−１８０４９３号公報
【考案の開示】
【考案が解決しようとする課題】
【０００５】
しかしながら、閉じた書籍の背や表紙の平などを見せただけてでは、見る側の者にとっては、その書籍の内容を具体的に知るのに限界があることから、場合によっては書籍の本文中の文章や挿絵などを具体的に見たいことがあり、また、見せる側の者にとっても、そのような本文中の文章や挿絵などを具体的に見せたいことがある。さらに、書籍の立掛け方を従来とは異なる形に変化させて見る者の注目を集めたいこともある。さらに、近時のＣＤやＤＶＤなどの普及に伴い、それらの情報記録媒体のパッケージ（ケース）や説明リーフなどをＣＤやＤＶＤなどと共に本立てに並べておきたいこともある。
【０００６】
本考案は以上の状況の下でなされたものであり、従来より習慣的に行われてきた並べ方で書籍を立て掛けることができることは勿論、従来とは異なる並べ方を自由に採用してその並べ方に個性や変化を持たせたいときの自由度に優れた本立てを提供することを目的とする。
【０００７】
また、本考案は、構造が簡単で安価に製作することができるにもかかわらず、上記目的を達成し得る本立てを提供することを目的とする。
【課題を解決するための手段】
【０００８】
本考案に係る本立ては、多数の保持孔を規則的又は無秩序に幅方向及び奥行方向で散在させた支持板と、任意に選択した上記保持孔に端部を差し込むことによって上記支持板に自立させられるロッド状のスティックとを有する。また、本考案に係る本立ては、多数の保持孔を規則的又は無秩序に幅方向及び奥行方向で散在させた支持板と、任意に選択した上記保持孔に端部を差し込むことによって上記支持板に自立させられる複数本のロッド状のスティックとを有し、支持板に幅方向又は奥行方向に間隔を隔てて自立させた少なくとも２本の上記スティックの相互間スペースが書籍の配備スペースとして形成されるようになっている。
【０００９】
これらの考案によると、支持板に自立させた複数本のスティックの相互間スペースに、書籍を閉じて立て掛けてその書籍の背や表紙の平を見せるようにも、書籍の見せたいページを開いてそのページをスティックに立て掛けて見せたいページを見せるようにも、あるいは、書籍を少し開いてそこにスティックを挟み込む形態にしてそのスティックで書籍を支えるようにすることも可能である。このように書籍の見せ方に様々な変化を持たせることが可能であるので、従来とは異なる並べ方を自由に採用してその並べ方に個性や変化を持たせることが可能になり、その結果、書籍の並べ方、見せ方の自由度が格段に高まるようになる。また、書籍だけでなく、ＣＤやＤＶＤなどと共にそれらの情報記録媒体のパッケージ（ケース）や説明リーフなどを併せて整然と良好な見栄えを保って自由にレイアウトして並べることも可能である。このような作用は、支持板１に散在されている保持孔が、幅方向だけでなく奥行方向にも並んでいて、それらの保持孔の任意の１つ又は複数を選択して１本又は複数本のスティックを自立させることができるようになっているために発揮される。また、多数の保持孔を有する支持板と複数本のロッド状のスティックとによって構成されているので、仕切り板などを用いる従来の本立てに比べて当該本立てを容易にかつ安価に製作することができるようになる。
【００１０】
本考案では、支持板に自立させた複数本の上記スティックが、同一高さ又は異なる高さを有しているものであってもよい。これによれば、当該本立ての外観デザインに変化を持たせることにスティック自体を役立てることができるようになる。
【００１１】
本考案では、複数本の上記スティックの全部がまっすぐなロッドでなるものであっても、両端部が２つの上記保持孔に各別に差し込まれる曲り形状のロッドでなるスティックが含まれているものであってもよい。曲り形状のロッドでなるスティックには、門形、Ｕ字形、Ｌ形、その他のデザイン化されたさまざまな曲り形状のロッドでなるスティックが含まれる。
【００１２】
また、本考案に係る本立ては、上記した本立ての上記支持板が底板として形成された中空箱体の背面に、絵柄や文字などの背景画を挟み込んだ透過板が備わり、かつ、上記箱体の前面に覗き窓が備わっているという構成を採用することも可能である。
【考案の効果】
【００１３】
以上のように、本考案に係る本立てによれば、従来より習慣的に行われてきた並べ方で書籍を立て掛けることができるだけでなく、従来とは異なる斬新な並べ方を自由に採用してその並べ方に個性や変化を持たせるときの自由度に優れるという利点がある。そして、このような利点のために、ＣＤやＤＶＤなどと共にそれらの情報記録媒体のパッケージ（ケース）や説明リーフなどを併せて整然と良好な見栄えを保って並べることも可能になる。また、構造が簡単で安価に製作することのできる本立てを提供することが可能になる。
【考案を実施するための最良の形態】
【００１４】
図１は本考案に係る本立ての基本構成を示した説明図、図２は支持板１の平面図である。図１のように、この本立ては、支持板１と複数本のロッド上記のスティック５とを備えている。支持板１には多数の保持孔２が備わっていて、この保持孔２にスティック５の端部を差し込むことによってそのスティック５を支持板１にぐらつきなく自立させることができるようになっている。保持孔２は支持板１の多数箇所に散在しており、それらの保持孔２は無秩序に支持板１の幅方向及び奥行方向に配列されていても、図２（Ａ）のように所定の文字や記号を象る形態で支持板１の幅方向及び奥行方向に配列していても、図２（Ｂ）の格子点に位置するように規則的に支持板１の幅方向及び奥行方向に配列されていても、図２（Ｃ）のように支持板１の幅方向及び奥行方向に千鳥配列になっていてもよい。さらに、保持孔２は支持板１の板面に垂直な垂直孔であっても、その板面に対して傾斜した傾斜孔であってもよく、要するに、端部を保持孔２に差し込んだスティック５を自立させえるものであればよい。相隣接する２つの保持孔２の相互間隔は狭くても広くてもよいが、任意の２つの保持孔２を選択してそれらの保持孔２にスティック５の端部を差し込んで自立させたときには、それらの保持孔２の選び方によって、自立させた２本のスティック５の相互間スペースに書籍を配備することができるようになっていることが望ましい。さらに、保持孔２の大きさや形状、深さは、スティック５の太さや断面形状、長さに見合って、スティック５の端部を差し込んだときにそのスティック５がぐらつきなく支持板１に自立する大きさや形状に定められている。たとえば、円形や多角形の断面形状を持つスティック５に対し、保持孔２の形状を円形や多角形にすることが可能であり、また、その深さも自由に定めることがてきる。
【００１５】
一方、複数本のスティック５には、長さが同一のものを選定することも、長さが異なるものを選定することが可能であるだけでなく、形の異なるものを選定することも可能である。図１で例示したスティック５はまっすぐなロッドによって形成されているけれども、たとえば、そのスティック５を中間部で折返し状に屈曲した門形又はＵ字形のロッドによって形成することも可能である。支持板１と組み合わせて用いられる複数本のスティック５には、その全部にまっすぐなロッドでなるものを用いても、その全部に門形又はＵ字形のロッドでなるものを用いても、まっすぐなロッドでなるものと門形又はＵ字形のロッドでなるものとを混用してもよい。
【００１６】
図３〜図６は複数本のまっすぐなロッドでなるスティック５を支持板１と組み合わせた場合の本立ての使用状態を例示している。図３（Ａ）は使用状態の正面図、同（Ｂ）は同使用状態の平面図であり、この事例では、支持板１の幅方向に並んでいる保持孔２に端部を差し込んで自立させた２本のスティック５の相互間に、書籍８Ａを閉じて挟み込むことによってその書籍８Ａを垂直に立てている状態と、２本の上記スティック５の相互間に配備した閉じた書籍８Ｂを斜めに立て掛けている状態とを示している。この事例によれば、本立てが通常のブックエンドとしての機能を発揮している。
【００１７】
図４（Ａ）は他の使用状態の正面図、同（Ｂ）は同使用状態の平面図であり、この事例では、支持板１に自立させたスティック５を書籍８Ｃに挾み込むことによって、そのスティック５で書籍８Ｃが倒れるのを防いでいる。また、図４には支持板１の正面や背面から表紙の平が見えるように配備した書籍８Ｃと、支持板１の左右の側面から表紙の平が見えるように配備した書籍８Ｄとを例示してあるけれども、この点は、書籍を支持板１の対角方向に沿うように傾斜させて配備することも可能である。また、この事例のように書籍８Ｃ，８Ｄでスティック５を挾み込んでそれらの書籍８Ｃ，８Ｄが倒れないようにする場合、支持板１からのスティック５の高さを書籍８Ｃ，８Ｄの高さよりも低くしておけば、スティック５が書籍８Ｃ，８Ｄにより隠れて外部から見えなくなって見栄えがよくなる。
【００１８】
図５（Ａ）はさらに他の使用状態の正面図、同（Ｂ）は同使用状態の平面図であり、この事例では、支持板１に左右２本ずつのスティック５を自立させておき、開いた書籍８Ｅの片側部分を片側２本のスティック５に挾み込み、書籍８Ｅの他側部分を他側２本のスティック５に挾み込むことによって、書籍８Ｅを立てて配備している。このようにしておくと、書籍８Ｅの開かれたページが外部から見えるので、この事例は書籍の特定のページを見せたい場合に有益である。
【００１９】
図６（Ａ）はさらに他の使用状態の正面図、同（Ｂ）は同使用状態の平面図であり、この事例も書籍８Ｆを開いて配備している事例であるけれども、図５の場合と異なる点は、書籍８Ｆを２つ開きにして、さらに中間のページをその両側のページに対して開いている点である。そして、左右のページや中間のページを、それらが自然に閉じ合わされないように、支持板１に自立させたスティック５によって支えさせている。
【００２０】
次に、図７は複数本のスティック５として、複数本の門形又はＵ字状のロッドでなるスティック５を用いた場合の使用状態を示している。この場合、スティック５の両端部を支持板１の任意の２つの保持孔２に各別に差し込むことによってそのスティック５を支持板１に自立させている。この事例を採用する場合、スティック５の両端部の間隔は、支持板１上の任意の方向で相隣接する２つの保持孔２の相互間隔に合わせておくことも、あるいは、支持板１の任意に選択した２つの保持孔２の相互間隔に合わせておくことも可能である。図７の事例では、門形又はＵ字形のロッドでなるスティック５の両端部が支持板１の幅方向又は奥行方向で並んでいる２つの保持孔２に差し込まれているけれども、この点は、たとえば図８（Ａ）（Ｂ）に示したように、門形又はＵ字形のロッドでなるスティック５の両端部を支持板１に斜めに並んでいる２つの保持孔２に差し込んで自立させることも可能である。
【００２１】
図９は複数枚の支持板１を矩形枠形に形成し、その支持板１の内面側に形成された保持孔２に、スティック５の端部を差し込んでそのスティック５を自立させた事例を示している。これによっても、図３〜図７で説明した使用状態を採用することができることができる。また、書籍を支えるのに使われないスティック５を飾りとして用いて本立て全体のデザイン性を高めることも可能である。なお、この実施形態では、矩形枠形の支持板１の内面全体に保持孔２を散在させているけれども、この点は、支持板１の上部内面や側部内面だけに保持孔２を散在させ、それらの保持孔２を利用して自立させたスティック５によって書籍を支えるようにすることも可能である。
以上の説明では、書籍を使用対象とした本立てを説明したけれども、上記したそれぞれの本立てには、書籍の他にも、ＣＤやＤＶＤといった情報記録媒体のパッケージ（ケース）や説明リーフなどを併せて整然と良好な見栄えを保って並べることも可能である。また、支持板１を図示していない回転台の上に乗せたり取り付けたりしておけば、その支持板１を回転させて書籍の様々な方向から見ることができるようにもなる。
【００２２】
図１０は他の実施形態に係る本立てを示している。この実施形態では、図１〜図８で説明した支持板１を底板として用いて中空箱体６の背面に、絵柄や文字などの背景画７を挟み込んだ２枚の透過板８１，８２が備わり、箱体２の前面に覗き窓９が備わっている。なお、６１は中空箱体６の天板である。この実施形態によれば、中空箱体６の内部に収容した書籍を、支持板１の保持孔２を利用して自立させた複数本のスティック５によって図３〜図８などで説明した形で配備することが可能である。この実施形態によると、覗き窓９から中空箱体６の内部に配備された書籍を見るときに、背景画７がその書籍の背部に見えるので優れたデザイン性が発揮されて見る者の注目をひきやすくなる。上記背景画には写真なども含まれ、また、透過板８１，８２にライトの光線を照射したり透過板８１，８２の端面からライトの光線を照射してその透過板８１，８２の全体を光らせるようにすることも可能である。
【図面の簡単な説明】
【００２３】
【図１】本考案に係る本立ての基本構成を示した説明図である。
【図２】支持板の平面図である。
【図３】（Ａ）は使用状態の正面図、（Ｂ）は同使用状態の平面図である。
【図４】他の使用状態の正面図、（Ｂ）は同使用状態の平面図である。
【図５】（Ａ）はさらに他の使用状態の正面図、（Ｂ）は同使用状態の平面図である。
【図６】さらに他の使用状態の正面図、（Ｂ）は同使用状態の平面図である。
【図７】さらに他の使用状態の正面図、（Ｂ）は同使用状態の平面図である。
【図８】さらに他の使用状態の正面図、（Ｂ）は同使用状態の平面図である。
【図９】変形例による支持板を用いた実施形態の正面図である。
【図１０】他の実施形態に係る本立ての概略斜視図である。
【符号の説明】
【００２４】
１  支持板
２  保持孔
５  スティック
６  中空箱体
７  背景画
８Ａ〜８Ｅ  書籍
８１，８２  透過板
９  覗き窓
【図１】
0003105593.tif 000003
【図２】
0003105593.tif 000004
【図３】
0003105593.tif 000005
【図４】
0003105593.tif 000006
【図５】
0003105593.tif 000007
【図６】
0003105593.tif 000008
【図７】
0003105593.tif 000009
【図８】
0003105593.tif 000010
【図９】
0003105593.tif 000011
【図１０】
0003105593.tif 000012